Podtech/llm-jp-corpus-v4-ja_patent huggingface dataset:
【手続補正書】
【提出日】平成17年10月21日(2005.10.21)
【手続補正１】
【補正対象書類名】特許請求の範囲
【補正対象項目名】全文
【補正方法】変更
【補正の内容】
【特許請求の範囲】
【請求項１】
中空円筒体に材料が充填されている間に、閉じ込められた流体を前記中空円筒体から逃す方法であって、
第１開口部および第２開口部を含む中空円筒体を提供するステップと、
ベント部およびプランジャチップポケットを含むシールを提供するステップと、
少なくとも一つのベント溝を含むプランジャチップを提供するステップと、
前記シールを前記中空円筒体に挿入するステップであって、ボリューム部は、前記中空円筒体内の、前記シールと前記中空円筒体の前記第２開口部との間に画定され、かつさらに前記ボリューム部は流体を含有する、ステップと、
前記中空円筒体の前記第２開口部を介して、前記中空円筒体に前記材料を充填するステップであって、前記材料が前記ボリューム部を占めるにつれて、前記ボリューム部内の前記流体が前記シールの前記ベント部を介して逃される、ステップと、
前記中空円筒体の前記第１開口部を介して、前記プランジャチップを前記中空円筒体に挿入するステップと、
前記プランジャチップを前記シールの前記プランジャチップポケット内に着座させるステップであって、前記プランジャチップは、前記プランジャチップが前記プランジャチップポケット内に着座されるとき前記ベント部を塞ぎ、かつさらに前記プランジャチップポケット内の流体は、前記プランジャチップが前記プランジャチップポケット内に着座されている間に、前記プランジャチップの前記少なくとも一つのベント溝を介して逃げる、ステップとを含む、方法。
【請求項２】
前記プランジャチップが前記プランジャチップポケット内に着座されるとき、前記プランジャチップは、前記シールの前記プランジャチップポケットに係止する、請求項１に記載の方法。
【請求項３】
前記プランジャチップおよび前記シールを伸縮させるステップをさらに含み、それにより負圧が前記ボリューム部内に生じる、請求項２に記載の方法。
【請求項４】
中空円筒体に材料を充填している間に、閉じ込められた流体を前記中空円筒体から逃す方法であって、
第１開口部および第２開口部を含む中空円筒体を提供するステップと、
ベント部およびプランジャチップポケットを含むシールを提供するステップと、
少なくとも一つのベント溝を含むプランジャチップを提供するステップと、
前記中空円筒体に前記材料を充填するステップと、
前記シールを前記中空円筒体に挿入するステップであって、ボリューム部は、前記中空円筒体内の、前記シールと前記中空円筒体の前記第２開口部との間に画定され、前記ボリューム部は流体を含有し、かつさらに前記ボリューム部内の前記流体は、前記シールが前記中空円筒体に挿入されるにつれて、前記シールの前記ベント部を介して逃される、ステップと、
前記中空円筒体の前記第１開口部を介して、前記プランジャチップを前記中空円筒体に挿入するステップと、
前記プランジャチップを前記シールの前記プランジャチップポケット内に着座させるステップであって、前記プランジャチップは、前記プランジャチップが前記プランジャチップポケット内に着座されるとき前記ベント部を塞ぎ、かつさらに前記プランジャチップポケット内の流体は、前記プランジャチップが前記プランジャチップポケット内に着座されている間に、前記プランジャチップの前記少なくとも一つのベント溝を介して逃げる、ステップとを含む、方法。
【請求項５】
前記プランジャチップが前記プランジャチップポケット内に着座されるとき、前記プランジャチップは、前記シールの前記プランジャチップポケットに係止する、請求項４に記載の方法。
【請求項６】
前記プランジャチップおよび前記シールを伸縮させるステップをさらに含み、それにより負圧が前記ボリューム部内に生じる、請求項５に記載の方法。
【請求項７】
セルフベンティング可動シールおよびプランジャアセンブリであって、
第１開口部および第２開口部を含む中空円筒体と、
可動シールであって、
プランジャチップポケットと、
第１端部および第２端部であって、ボリューム部は、前記可動シールが前記中空円筒体内に位置決めされるとき、前記中空円筒体内の、前記シールの前記第２端部と前記中空円筒体の前記第２開口部との間に画定される、第１端部および第２端部と、
前記プランジャチップポケットと前記可動シールの前記第２端部との間を延びるベント部であって、前記プランジャチップポケットは、前記可動シールが前記中空円筒体内に位置決めされるとき前記ボリューム部と流体連通している、ベント部とを含む、可動シールと、
少なくとも一つのベント溝を含むプランジャチップであって、前記プランジャチップは、前記可動シールの前記プランジャチップポケット内に着座されるように構成され、前記プランジャチップは、前記プランジャチップが前記プランジャチップポケット内に着座されるとき前記可動シールの前記ベント部を塞ぎ、かつさらに前記プランジャチップポケット内の流体は、前記プランジャチップが前記プランジャチップポケット内に着座されるにつれて、前記プランジャチップの前記少なくとも一つのベント溝を介して逃げる、プランジャチップとを含む、アセンブリ。
【請求項８】
セルフベンティング可動シールおよびプランジャアセンブリであって、
第１開口部および第２開口部を含む中空円筒体と、
可動シールであって、
プランジャチップポケットと、
第１端部および第２端部であって、ボリューム部は、前記可動シールが前記中空円筒体内に位置決めされるとき、前記円筒中空体内の、前記シールの前記第２端部と前記中空円筒体の前記第２開口部との間に画定される、第１端部および第２端部と、
前記プランジャチップポケットと前記可動シールの前記第２端部との間を延びるベント部であって、前記プランジャチップポケットは、前記可動シールが前記中空円筒体内に位置決めされるとき、前記ボリューム部と流体連通している、ベント部と、
少なくとも一対の保持プラグ差込口とを含む、可動シールと、
プランジャチップであって、
少なくとも一つのベント溝と、
少なくとも一対の保持プラグであって、前記プランジャチップは、前記可動シールの前記プランジャチップポケット内に着座されるように構成され、前記プランジャチップは、前記プランジャチップが前記プランジャチップポケット内に着座されるとき前記可動シールの前記ベント部を塞ぎ、前記プランジャチップポケット内の流体は、前記プランジャチップが前記プランジャチップポケット内に着座されるにつれて、前記プランジャチップの前記少なくとも一つのベント溝を介して逃げ、かつさらに前記少なくとも一対の保持プラグは、前記可動シールの前記少なくとも一対の保持プラグ差込口に嵌合するように構成される、少なくとも一対の保持プラグとを含む、プランジャチップとを含む、アセンブリ。
【手続補正書】
【提出日】平成17年9月8日(2005.9.8)
【手続補正１】
【補正対象書類名】特許請求の範囲
【補正対象項目名】全文
【補正方法】変更
【補正の内容】
【特許請求の範囲】
【請求項１】
基材とその上に配置された指示薬組成物とを含む滅菌指示材であって、前記指示薬組成物が、
銅塩、コバルト塩、クロム塩、およびこれらの組み合わせからなる群から選択される、遷移金属の少なくとも１つの塩、
滅菌剤に暴露された時に色彩を変える少なくとも１種の着色料、および
少なくとも１つのバインダー樹脂、
を含む、前記滅菌指示材。
【請求項２】
前記滅菌剤が、過酸化水素または過酢酸であり、前記着色料が、メタン、モノアゾ、ジアゾ、トリアゾ、ジアジン、チアジン、キサンテン、オキサジン、シアニン、アントラキノン、ベンゾジフラノン、スチリル、フタロシアニン、キノフタロン、ニトロ、およびニトロソ着色料、およびこれらの組合わせからなる着色料の種類の群から選択され、および／または前記着色料が、ビクトリアグリーンＳエクストラ、ベーシックブルー４１、ベーシックレッド１５、アシッドグリーンＡＸ９８６、キーストーンソープフルオログリーン、ベーシックレッド１４、およびこれらの組合わせからなる群から選択される、請求項１に記載の滅菌指示材。
【請求項３】
基材とその上に配置された指示薬組成物とを含む過酸化水素指示材であって、前記指示薬組成物が、
遷移金属の少なくとも１つの塩、
メタン、モノアゾ、ジアゾ、トリアゾ、ジアジン、チアジン、キサンテン、オキサジン、およびアントラキノン着色料、およびこれらの組合わせからなる着色料の種類の群から選択される少なくとも１種の着色料、および／またはビクトリアグリーンＳエクストラ、ベーシックブルー４１、ベーシックレッド１５、アシッドグリーンＡＸ９８６、キーストーンソープフルオログリーン、ベーシックレッド１４、およびこれらの組合わせからなる群から選択される少なくとも１種の着色料、および
少なくとも１つのバインダー樹脂、
を含む、前記過酸化水素指示材。
【請求項４】
前記着色料が、パテントブルーバイオレット、アルカリブルー４Ｂ、ビクトリアピュアブルーＢＯ、酸性フクシンナトリウム塩、アルファズリンＡ、メチルバイオレット２Ｂ、エチルバイオレット、ＦＤ／Ｃブルー１、ブリリアントブルーＲ、リサミングリーンＢ、エリオグラウシン、エリオクロムブラックＴ、エリオクロムブルーブラックＢ、シバクロンブリリアントレッド３Ｂ、クロモトロープ２Ｂ、アマランス、Ｄ＆ＣレッドＮｏ.３３、ボルドーＲ、アシッドバイオレット７、アシッドバイオレット５、プラスモコリントＢ、アシッドブルー１１３、アシッドレッド１５１、アシッドブラック２４、アシッドレッド９７、ダイレクトレッド７５、ブリリアントクロセインＭＯＯ、ポンソーＳＳ、リアクティブブラック５、アルセナゾ１１１、ダイレクトブルー７１、アゾカルミンＧ、メチレンバイオレット３ＲＡＸ、トルイジンブルーＯ、メチレングリーン、スルホローダミンＢ、ローダニン６Ｇ、ビオラミンＲ、ナイルブルーＡ、ベーシックブルー３、ブリリアントクレシルブルーＢＢ、ベーシックレッド１５、アリザリンバイオレット３Ｒ、ビクトリアグリーンＳエクストラ、ベーシックブルー４１、アシッドグリーンＡＸ９８６、キーストーンソープフルオログリーン、ベーシックレッド１４、Ｄ＆ＣグリーンＮｏ.５、およびこれらの組合わせからなる群から選択される、請求項３に記載の過酸化水素指示材。
【請求項５】
基材とその上に配置された指示薬組成物とを含む過酢酸指示材であって、前記指示薬組成物が、
銅塩、コバルト塩、クロム塩、およびこれらの組み合わせから成る群から選択される、遷移金属の少なくとも１つの塩、
モノアゾおよびジアゾ着色料、およびこれらの組合わせからなる着色料の種類の群から選択される少なくとも１種の着色料、および／またはビクトリアグリーンＳエクストラ、ベーシックブルー４１、ベーシックレッド１５、アシッドグリーンＡＸ９８６、キーストーンソープフルオログリーン、ベーシックレッド１４、およびこれらの組合わせからなる群から選択される少なくとも１種の着色料、および
少なくとも１つのバインダー樹脂、
を含む、前記過酢酸指示材。
【請求項６】
基材とその上に配置された指示薬組成物とを含む過酢酸指示材であって、前記指示薬組成物が、
銅、コバルト、およびこれらの組合わせの少なくとも１つの塩、
過酢酸に暴露された時に色彩を変える少なくとも１種の着色料、および
少なくとも１つのバインダー樹脂、
を含む、前記過酢酸指示材。
【手続補正書】
【提出日】平成17年11月16日(2005.11.16)
【手続補正１】
【補正対象書類名】特許請求の範囲
【補正対象項目名】全文
【補正方法】変更
【補正の内容】
【特許請求の範囲】
【請求項１】
罹患骨または骨折、または罹患椎間板で以前に占有されていた空間内を再構成し、支持するためのモジュール式再構成および支持アセンブリであって、
協働状態で骨に挿入することができる複数のプレートを備え、前記プレートの少なくとも１枚は、前記骨または空間内で別のプレートに隣接して配置され、支持補綴物を形成するために足場を構成するアセンブリ。
【請求項２】
前記プレートの少なくとも１枚が、自身間の相対運動を防止または抑制するように、隣接するプレートの連結を促進するように設計された連結機構を備える少なくとも２つのほぼ対向する面を有する、請求項１に記載のアセンブリ。
【請求項３】
１つの面に、少なくとも１つの長手方向の突起および少なくとも１つの横方向の突起を設け、反対の面には、隣接するプレートの長手方向の突起を収容するように設計された少なくとも１つの対応する長手方向の凹部と、隣接するプレートの横方向の突起を収容するように設計された少なくとも１つの対応する横方向の凹部を設ける、請求項２に記載のアセンブリ。
【請求項４】
２枚の隣接プレート間でのプレートの案内および位置決めを促進するために、前記プレートに少なくとも１つのテーパ状端部を設ける、請求項１に記載のアセンブリ。
【請求項５】
前記プレートを、金属、チタン、チタン合金、ステンレス鋼合金、鋼３１６、加工箔、ハイドロキシアパタイト、ハイドロキシアパタイトでコーティングした材料、プラスチック、シリコン、複合材料、炭素繊維、硬化重合材料、ポリメチルメタクリレート（ＰＭＭＡ）、セラミック材料、サンゴ材料またはその組合せで構成されたグループから選択した材料で作成する、請求項１に記載のアセンブリ。
【請求項６】
前記プレートがほぼ円板形である、請求項１に記載のアセンブリ。
【請求項７】
１枚のプレートが隣接する別のこのようなプレートにスライドするのを促進するように、プレートに複数のほぼ平行な溝を設ける、請求項１に記載のアセンブリ。
【請求項８】
さらに、近位端および遠位端を有する導管の形をしているリードを備え、導管が、前記近位端に入口を、前記遠位端の周囲にはほぼ対向する２つのスリットを有していて、そのためプレートが前記入口を通して挿入され、前記遠位端に向かって前進すると、幾つかのプレートがスリットから突出し、プレート・アセンブリを形成する、請求項１に記載のアセンブリ。
【請求項９】
積み重ねたプレートで作成したプレート・アセンブリを導入し、支持するためのリード器具であって、前記リードが、近位端および遠位端を有する導管を備え、前記導管が、前記近位端に入口を、前記遠位端の周囲にほぼ対向する２つのスリットを有し、そのためプレートが前記入口を通って挿入され、前記遠位端に向かって前進すると、幾つかのプレートが前記スリットから突出して、前記プレート・アセンブリを形成する器具。
【請求項１０】
近位端にねじ山が設けられた、請求項９に記載の器具。
【請求項１１】
前記リードにパッキング用ストリップを設け、前記プレート・アセンブリを一緒に保持する、請求項９に記載の器具。
【請求項１２】
さらに、プラグの形をしたストッパを設けた請求項１１に記載の器具であり、前記ストッパはパッキングストラップを所定の位置にロックするようにストラップの側部をリードに対して固定しながらリードに詰められる、請求項１１に記載の器具。
【請求項１３】
前記リードに、自身内の骨成長を促進するように設計された空間を設ける、請求項９に記載の器具。
【請求項１４】
組立て時に前記プレート・アセンブリを擁するために、締め付けて、展開することができるケージをさらに設ける、請求項９に記載の器具。
【請求項１５】
組立て時に前記プレート・アセンブリを保持するために、外側に膨らむことができる部分を生成するように、リードに絡み合った形にスリットが刻まれた、請求項９に記載の器具。
【請求項１６】
前記プレート・アセンブリが組立てられると、一方のストラップが一方の側から前記プレート・アセンブリを覆い、他方のストラップが別の反対側から前記プレート・アセンブリ上で閉じて、前記ストラップの部分が前記遠位端で重なるように、前記リード内に十分に長い２本のストラップをさらに設ける、請求項９に記載の器具。
【請求項１７】
さらに、前記プレート・アセンブリの安定性を改善するために、自身にプレートを固定するための傾斜可能なプレート固定具を設ける、請求項９に記載の器具。
【請求項１８】
請求項９に記載の器具を罹患骨または骨折に、または罹患椎間板に以前は占有されていた空間に送出するための送出ツールであって、２本の同軸パイプを備え、一方が内部パイプ、他方が外部パイプであり、前記外部パイプが、前記内部パイプ上にシフトして、後者を覆うか、それを露出することができ、そのため前記内部パイプの遠位先端に位置するかみ合わせ手段は、前記外部パイプが内部パイプの遠位端を覆ったときかみ合わされ、前記内部パイプの遠位端が露出されたときかみ合わせを解除されるツール。
【手続補正書】
【提出日】平成17年10月21日(2005.10.21)
【手続補正１】
【補正対象書類名】特許請求の範囲
【補正対象項目名】全文
【補正方法】変更
【補正の内容】
【特許請求の範囲】
【請求項１】
海綿骨圧迫用装置であって：
拡張可能な本体であって、該本体に連結され該本体の拡張を方向付ける内部抑制部を含む、本体、
を備える、装置。
【請求項２】
前記内部抑制部は内部膜を含む
請求項１に記載の装置。
【請求項３】
前記拡張可能な本体は長軸を含み、
前記内部抑制部は、前記拡張可能な構造体の対向する内部側面間で前記長軸を横切る方向に伸びる内部膜を含む
請求項１に記載の装置。
【請求項４】
前記拡張可能な本体は長軸を含み、
前記内部抑制部は、前記拡張可能な構造体の対向する端部面間で前記長軸に沿って伸びる内部膜を含む
請求項１に記載の装置。
【請求項５】
前記拡張可能な本体は長軸を含み、
前記内部抑制部は、前記拡張可能な構造体の対向する端部面間で前記長軸に沿う１方向、および前記拡張可能な構造体の対向する内部側面間で前記長軸を横切る方向の第２の方向に伸びる内部膜を含む
請求項１に記載の装置。
【請求項６】
前記内部抑制部は、１方向への拡張が、この１方向を横切る別の方向への拡張よりも大きくなるように前記拡張可能な本体の拡張を方向付ける
請求項１に記載の装置。
【請求項７】
前記拡張可能な本体は長軸を含み、
前記内部抑制部は、前記拡張可能な本体の前記長軸に沿う拡張を抑制する
請求項１に記載の装置。
【請求項８】
前記拡張可能な本体は長軸を含み、
前記内部抑制部は、前記長軸から１半径方向への拡張が、前記長軸から第２の半径方向への拡張よりも大きくなるように前記拡張可能な本体の拡張を方向付ける
請求項１に記載の装置。
【請求項９】
前記内部抑制部は、前記拡張可能な本体の前記長軸に沿う拡張を抑制する
請求項８に記載の装置。
【請求項１０】
請求項１に定義されるような装置を骨の内部に挿入するための手段と、
海綿骨の中で前記本体を既定の方向に拡張させるための手段と、
前記既定の方向への拡張によって海綿骨を圧縮するための手段と
を含む、骨を処置するためのシステム。
【請求項１１】
前記既定の方向への拡張は脊椎の終板をもち上げる
請求項１０に記載のシステム。
【請求項１２】
前記既定の方向への拡張は脛骨高原の低下をもち上げる
請求項１０に記載のシステム。
【請求項１３】
前記既定の方向への拡張は上腕骨近位の低下をもち上げる
請求項１０に記載のシステム。
【請求項１４】
前記既定の方向への拡張は皮質骨をもち上げる
請求項１０に記載のシステム。
【請求項１５】
前記圧縮するための手段はキャビティを形成する
請求項１０に記載のシステム。
【請求項１６】
前記キャビティを材料で満たすための手段をさらに含む
請求項１５に記載のシステム。
【請求項１７】
前記材料は骨セメントを含む
請求項１６のシステム。
【請求項１８】
前記材料は合成骨材を含む
請求項１６に記載のシステム。
【請求項１９】
前記材料は、硬化条件下で固まる流動性材料を含む
請求項１６に記載のシステム。
【請求項２０】
骨へ挿入されるようになっており、海綿骨を圧縮するために海綿骨中で拡張される本体を備え、該本体は、海綿骨中での拡張中に骨折した皮質骨を移動させることができる力を加える材料を含み、さらに海綿骨中での拡張を抑制するための内部膜を含む海綿骨圧縮用装置。
【請求項２１】
前記拡張可能な本体は長軸を含み、
前記内部膜は、前記拡張可能な構造体の対向する内部側面間で前記長軸を横切る方向に伸びる
請求項２０に記載の装置。
【請求項２２】
前記拡張可能な本体は長軸を含み、
前記内部膜は、前記拡張可能な構造体の対向する端部面間で前記長軸に沿って伸びる
請求項２０に記載の装置。
【請求項２３】
前記拡張可能な本体は長軸を含み、
前記内部膜は、前記拡張可能な構造体の対向する端部面間で前記長軸に沿う１方向、および前記拡張可能な構造体の対向する内部側面間で前記長軸を横切る方向の第２の方向に伸びる
請求項２０に記載の装置。
【請求項２４】
１方向への拡張が、この１方向を横切る別の方向への拡張よりも大きくなるように、前記内部膜が前記拡張可能な本体の拡張を抑制する
請求項２０に記載の装置。
【請求項２５】
前記拡張可能な本体は長軸を含み、
前記内部膜は、前記拡張可能な本体の前記長軸に沿う拡張を抑制する
請求項２０に記載の装置。
【請求項２６】
前記拡張可能な本体は長軸を含み、
前記内部膜は、前記長軸から１半径方向への拡張が、前記長軸から第２の半径方向への拡張よりも大きくなるように前記拡張可能な本体の拡張を抑制する
請求項２０に記載の装置。
【請求項２７】
前記内部膜は、前記拡張可能な本体の前記長軸に沿う拡張を抑制する請求項２６の装置。
【請求項２８】
請求項２０に定義されるような装置を骨の内部に挿入するための手段と、
海綿骨の中で前記本体を抑制拡張させるための手段と、
前記抑制拡張によって海綿骨を圧縮するための手段と
を含む、骨を処置するためのシステム。
【請求項２９】
前記抑制拡張は脊椎の終板をもち上げる
請求項２８に記載のシステム。
【請求項３０】
前記抑制拡張は脛骨高原の低下をもち上げる
請求項２８に記載のシステム。
【請求項３１】
前記抑制拡張は上腕骨近位の低下をもち上げる
請求項２８に記載のシステム。
【請求項３２】
前記抑制拡張は皮質骨をもち上げる
請求項２８に記載のシステム。
【請求項３３】
前記圧縮するための手段はキャビティを形成する
請求項２８に記載のシステム。
【請求項３４】
前記キャビティを材料で満たすための手段をさらに含む
請求項３３に記載のシステム。
【請求項３５】
前記材料は骨セメントを含む
請求項３３に記載のシステム。
【請求項３６】
前記材料は合成骨材を含む
請求項３３に記載のシステム。
【請求項３７】
前記材料は、硬化条件下で固まる流動性材料を含む
請求項３３に記載のシステム。
【手続補正書】
【提出日】平成17年12月19日(2005.12.19)
【手続補正１】
【補正対象書類名】特許請求の範囲
【補正対象項目名】全文
【補正方法】変更
【補正の内容】
【特許請求の範囲】
【請求項１】
器官または組織に対する虚血事象後の再灌流の間または再灌流後に、被験体において該器官または組織に対する損傷を予防するためのシステムであって、該システムは、以下：
ａ）約５秒間〜約５分間にわたって、該器官の灌流を停止するための手段；
ｂ）約５秒間〜約５分間にわたって、該器官の灌流を再開するための手段；
ｃ）約２回〜約５０回にわたって、手段ａ）およびｂ）を連続して繰り返すための手段；ならびに
ｄ）該器官または組織の不断の灌流を可能にし、それによって、虚血事象後の該被験体における該器官または組織に対する損傷を予防するための手段、
を包含する、システム。
【請求項２】
前記器官または組織が、心臓、脳、腎臓、腸、膵臓、肝臓、肺または骨格筋である、請求項１に記載のシステム。
【請求項３】
前記被験体が哺乳動物である、請求項１に記載のシステム。
【請求項４】
前記哺乳動物がヒトである、請求項３に記載のシステム。
【請求項５】
前記灌流を停止するための手段が、前記器官または組織に血液を供給する血管の管腔内のバルーンである、請求項１に記載のシステム。
【請求項６】
前記バルーンが、膨張可能かつ収縮可能である、請求項５に記載のシステム。
【請求項７】
前記灌流を停止するための手段が、前記器官または組織に血液を供給する血管の外部圧迫である、請求項１に記載のシステム。
【請求項８】
薬学的に受容可能なキャリア中の、有効量の組織保護剤を、前記被験体に投与するための手段をさらに包含する、請求項１に記載のシステム。
【請求項９】
心臓の虚血事象を有すると診断された被験体において、該心臓に対する損傷を予防するシステムであって、該システムは、
ａ）冠状動脈の管腔を清浄化するための手段；
ｂ）約５秒間〜約５分間にわたって、該心臓を灌流するための手段；
ｃ）約５秒間〜約５分間にわたって、該心臓の灌流を停止するための手段；
ｄ）約２回〜約５０回にわたって、手段ｂ）およびｃ）を連続して繰り返すための手段；ならびに
ｅ）該心臓の不断の灌流を可能にし、それによって、該被験体における該心臓に対する損傷を予防するための手段、
を包含する、システム。
【請求項１０】
前記灌流を停止するための手段が、前記冠状動脈の管腔内のバルーンである、請求項９に記載のシステム。
【請求項１１】
前記バルーンが、膨張可能かつ収縮可能である、請求項１０に記載のシステム。
【請求項１２】
前記灌流を停止するための手段が、前記冠状動脈の外部圧迫である、請求項９に記載のシステム。
【請求項１３】
薬学的に受容可能なキャリア中の、有効量の組織保護剤を、前記被験体に投与するための手段をさらに包含する、請求項９に記載のシステム。
【請求項１４】
器官または組織に対する虚血事象後の再灌流の間または再灌流後に、被験体において該器官または組織に対する損傷を予防するためのシステムであって、該システムは、以下：
ａ）約５秒間〜約５分間にわたって、該器官の灌流を低減するための手段；
ｂ）約５秒間〜約５分間にわたって、該器官の灌流を再開するための手段；
ｃ）約２回〜約５０回にわたって、手段ａ）およびｂ）を連続して繰り返すための手段；ならびに
ｄ）該器官または組織の不断の灌流を可能にし、それによって、虚血事象後の該被験体における該器官または組織に対する損傷を予防するための手段、
を包含する、システム。
【請求項１５】
前記器官または組織が、心臓、脳、腎臓、腸、膵臓、肝臓、肺または骨格筋である、請求項１４に記載のシステム。
【請求項１６】
前記被験体が哺乳動物である、請求項１４に記載のシステム。
【請求項１７】
前記哺乳動物がヒトである、請求項１６に記載のシステム。
【請求項１８】
前記灌流を低減するための手段が、前記器官または組織に血液を供給する血管の管腔内のバルーンである、請求項１４に記載のシステム。
【請求項１９】
前記バルーンが、膨張可能かつ収縮可能である、請求項１８に記載のシステム。
【請求項２０】
前記灌流を低減するための手段が、前記器官または組織に血液を供給する血管の外部圧迫である、請求項１４に記載のシステム。
【請求項２１】
薬学的に受容可能なキャリア中の、有効量の組織保護剤を、前記被験体に投与するための手段をさらに包含する、請求項１４に記載のシステム。
【請求項２２】
心臓の虚血事象を有すると診断された被験体において、該心臓に対する損傷を予防するためのシステムであって、該システムは、
ａ）冠状動脈の管腔を清浄化するための手段；
ｂ）約５秒間〜約５分間にわたって、該心臓を灌流するための手段；
ｃ）約５秒間〜約５分間にわたって、該心臓の灌流を低減するための手段；
ｄ）約２回〜約５０回にわたって、手段ｂ）およびｃ）を連続して繰り返すための手段；ならびに
ｅ）該心臓の不断の灌流を可能にし、それによって、該被験体における該心臓に対する損傷を予防するための手段、
を包含する、システム。
【請求項２３】
前記灌流を低減するための手段が、前記冠状動脈の管腔内のバルーンである、請求項２２に記載のシステム。
【請求項２４】
前記バルーンが、膨張可能かつ収縮可能である、請求項２３に記載のシステム。
【請求項２５】
前記灌流を低減するための手段が、前記冠状動脈の外部圧迫である、請求項２２に記載のシステム。
【請求項２６】
薬学的に受容可能なキャリア中の、有効量の組織保護剤を、前記被験体に投与するための手段をさらに包含する、請求項２２に記載のシステム。
【手続補正書】
【提出日】平成17年10月12日(2005.10.12)
【手続補正１】
【補正対象書類名】特許請求の範囲
【補正対象項目名】全文
【補正方法】変更
【補正の内容】
【特許請求の範囲】
【請求項１】
シャフトと遠位手術チップを備え、前記チップは前記チップの周りの組織を冷凍切除温度まで冷却して前記組織を冷凍切除するように作動し、そして前記シャフトは前記シャフトに隣接する組織を冷凍切除されないようにかつ凍結によって損傷されないように保護するよう設計され製作されている冷凍プローブ。
【請求項２】
前記シャフトは、前記シャフト内の低温領域を、前記シャフトに隣接する組織と直接接触する前記シャフトの外側部分から断熱する働きをする断熱要素を含む請求項１の冷凍プローブ。
【請求項３】
前記断熱要素は断熱シースとして形成される請求項２の冷凍プローブ。
【請求項４】
前記断熱要素は少なくとも部分真空を含む請求項２の冷凍プローブ。
【請求項５】
前記シャフトは加熱要素を含む請求項１の冷凍プローブ。
【請求項６】
前記加熱要素は電気抵抗加熱要素である請求項５の冷凍プローブ。
【請求項７】
前記加熱要素はマイクロ波加熱要素である請求項５の冷凍プローブ。
【請求項８】
前記加熱要素は電子加熱要素である請求項５の冷凍プローブ。
【請求項９】
前記加熱要素は流体加熱モジュールである請求項５の冷凍プローブ。
【請求項１０】
前記流体加熱モジュールは、流体を前記シャフト内の容積部分に送達する第一流路を備え、さらに前記流体を前記シャフトの前記容積部分から排出する第二流路を備えている請求項９の冷凍プローブ。
【請求項１１】
前記第一流路は、予め加熱された流体を前記シャフトの部分に送達するように作動する請求項１０の冷凍プローブ。
【請求項１２】
前記シャフトは第一ジュール−トムソンオリフィスを備える請求項１０の冷凍プローブ。
【請求項１３】
前記第一流路は、圧縮加熱ガスを前記シャフトに送達するように作動する請求項１０の冷凍プローブ。
【請求項１４】
前記第一流路は、圧縮加熱ガスを前記第一ジュール−トムソンオリフィスに送達するように作動する請求項１２の冷凍プローブ。
【請求項１５】
前記シャフトは第一ジュール−トムソンオリフィスを有し、そして前記手術チップは第二ジュール−トムソンオリフィスを有する請求項１４の冷凍プローブ。
【請求項１６】
前記冷凍プローブは第一ガス注入流路と第二ガス注入流路を有し、前記第一ガス注入流路は圧縮加熱ガスを前記第一ジュール−トムソンオリフィスに送達するように作動し、一方前記第二ガス注入流路は圧縮冷却ガスを前記第二ジュール−トムソンオリフィスに送達するように作動する請求項１５の冷凍プローブ。
【手続補正書】
【提出日】平成17年10月13日(2005.10.13)
【手続補正１】
【補正対象書類名】特許請求の範囲
【補正対象項目名】全文
【補正方法】変更
【補正の内容】
【特許請求の範囲】
【請求項１】
滅菌プロセスの効力を決定し、その決定を遠隔の場所に伝達するシステムであって、
効果的な滅菌プロセスに暴露されると、光学的変化を経るインジケータを含む滅菌センサ、および
前記滅菌センサを収容するように構成された読取り装置、
を含み、前記読取り装置が、
前記滅菌センサを照射する照射源、
前記照射される滅菌センサの状態を評価する第１のカラーセンサ、
前記カラーセンサの出力を解釈し、前記光学的変化が起こったかを決定する解釈回路、および、
前記解釈回路から前記遠隔の場所にデータを伝達する通信回路、
を含む、システム。
【請求項２】
前記滅菌センサが使い捨てであり、前記読取り装置が再使用可能である、請求項１に記載のシステム。
【請求項３】
前記解釈回路からデータを伝達するように、読取り装置に指令する質問機を更に含む、請求項１に記載のシステム。
【請求項４】
前記照射される滅菌センサの状態を評価する第２のカラーセンサを更に含み、前記解釈回路が、前記第１のカラーセンサと前記第２のカラーセンサの出力を解釈し、前記光学的変化が起こったかを決定する、請求項１に記載のシステム。
【請求項５】
前記読取り装置が、前記滅菌センサに気体を運ぶように構成された、少なくとも１つの蛇行した通路を有する、請求項１に記載のシステム。
【手続補正書】
【提出日】平成17年8月10日(2005.8.10)
【手続補正１】
【補正対象書類名】特許請求の範囲
【補正対象項目名】全文
【補正方法】変更
【補正の内容】
【特許請求の範囲】
【請求項１】
皮膚の外観改善のためにレーザ光と共に使用する組成物であって、コラーゲン生成促進剤と、皮膚の真皮内に慢性傷を発生させるようにレーザ光によって皮膚表面上で破裂する粒子とを含んで成ることを特徴とする組成物。
【請求項２】
レーザ光は表皮を無傷に保つように調節されていることを特徴とする請求項１記載の組成物。
【請求項３】
レーザ光は波長８００ｎＭから１０００ｎＭ、１パルス/秒から２０パルス/秒、パルス時間０．００１μ秒から１μ秒、照射量１から３Ｊ/ｃｍ2であることを特徴とする請求項１記載の組成物。
【請求項４】
コラーゲン生成促進剤はレチン酸であり、粒子はカーボン粒子であることを特徴とする請求項１記載の組成物。
【請求項５】
皮膚の外観改善のためにレーザ光と共に使用する組成物であって、レチン酸と、皮膚の真皮内に慢性傷を発生させるように、波長８００ｎＭから１０００ｎＭ、１パルス/秒から２０パルス/秒、パルス時間０．００１μ秒から１μ秒、照射量１から３Ｊ/ｃｍ2であるレーザ光によって皮膚表面上で破裂することができるカーボン粒子とを含んで成ることを特徴とする組成物。
【請求項６】
レチン酸は０．０５％から１％の濃度であることを特徴とする請求項５記載の組成物。
【請求項７】
レーザ光は表皮を無傷に保つことを特徴とする請求項５記載の組成物。
【請求項８】
皮膚の外観改善のためにレーザ光と共に使用する組成物であって、濃度０．０５％から１％のレチン酸と、皮膚の真皮内に慢性傷を発生させるように、波長８００ｎＭから１０００ｎＭ、１パルス/秒から２０パルス/秒、パルス時間０．００１μ秒から１μ秒、照射量１から３Ｊ/ｃｍ2であり、Ｑスイッチ式Ｎｄ：ＹＡＧレーザで提供され、表皮を無傷で保ちつつ皮膚の真皮内に慢性傷を発生させるレーザ光によって皮膚表面上で破裂することができるカーボン粒子とを含んで成る組成物。
【手続補正書】
【提出日】平成17年11月17日(2005.11.17)
【手続補正１】
【補正対象書類名】明細書
【補正対象項目名】００１１
【補正方法】変更
【補正の内容】
【００１１】
ジイソシアネートの代表的な例には、これらに限定するものではないが、４，４′−ジイソシアナトジフェニルメタン、ｐ−フェニレンジイソシアネート、１，３−ビス（イソシアナトメチル）シクロヘキサン、１，４−ジイソシアナトシクロヘキサン、１，５−ナフタレンジイソシアネート、３，３′−ジメチル−４，４′−ビフェニルジイソシアネート、４，４′−ジイソシアナトジシクロヘキシルメタン及び２，４−トルエンジイソシアネート又はこれらの混合物が含まれる。更に好ましい例には、４，４′−ジイソシアナトジシクロヘキシルメタン及び４，４′−ジイソシアナトジフェニルメタンが含まれる。他の可能性のあるイソシアネートには、これらに限定するわけではないが、トルエン−２，４，６−トリイソシアネートのようなトリイソシアネート並びに４，４′−ジメチルジフェニルメタン−２，２′，５，５′−テトライソシアネート及び種々のポリメチレンポリフェニルポリイソシアネートのようなイソシアネートが含まれる。
【手続補正２】
【補正対象書類名】明細書
【補正対象項目名】００３４
【補正方法】変更
【補正の内容】
【００３４】
代表的な熱安定剤には、限定されることなく、ヒンダードフェノール、芳香族アミン、有機ホスファイト、チオエステル等が含まれる。好ましくは、組成物中の熱安定剤は、酸化防止剤である。一つの非常に好ましい酸化防止剤は、商品名イルガノックス(IRGANOX)１０７６（チバ・スペシャルティ・ケミカルス社から市販されている）で販売されているオクタデシル  ３，５−ジ−（ｔｅｒｔ）−ブチル−４−ヒドロキシヒドロシンナマートのようなフェノール系酸化防止剤である。
【手続補正３】
【補正対象書類名】明細書
【補正対象項目名】００４２
【補正方法】変更
【補正の内容】
【００４２】
殆ど全ての基体は、組成物を受け取って、その上に被覆を形成することができる。この組成物は、金属、プラスチック又はコンポジット基体、木材基体等に適用することができる。好ましい態様に於いて、組成物は、金属コンポーネントの被覆された又は被覆されていない表面に適用される。非常に好ましい態様に於いて、組成物は、（例えばピックアップトラック・カーゴボックスの床、側壁、ヘッドボード、テールゲート又はその他のコンポーネントの１個又はそれ以上に被覆することによって、トラックベッドライナーを形成するために）自動車コンポーネントの被覆された又はｅ−被覆（電着被覆）された表面に適用され、透明被覆に加えて又はそれの代替として適用することができる。被覆の所望のテクスチャーに依存して、基体の一部又は全部の上に、平滑な表面（例えばクラスＡ仕上げ）又は粗い表面を達成するように適用することができる。
【手続補正４】
【補正対象書類名】明細書
【補正対象項目名】００５５
【補正方法】変更
【補正の内容】
【００５５】
【表１】
2005514197.tif 000001
【手続補正書】
【提出日】平成17年12月20日(2005.12.20)
【手続補正１】
【補正対象書類名】特許請求の範囲
【補正対象項目名】請求項４
【補正方法】変更
【補正の内容】
【請求項４】
該表面上に１００nm未満の厚さのポリマーコーティングを形成するために使用される、請求項１に記載の方法。
【手続補正２】
【補正対象書類名】特許請求の範囲
【補正対象項目名】請求項１６
【補正方法】変更
【補正の内容】
【請求項１６】
該表面上に１００nm未満の厚さのポリマーコーティングを供給するため、該光開始剤及び潜在的反応基が、同時に活性化されて、該モノマー類を重合させ、そして該表面に該試薬を結合させる、請求項１５に記載の方法。
【手続補正３】
【補正対象書類名】特許請求の範囲
【補正対象項目名】請求項２２
【補正方法】変更
【補正の内容】
【請求項２２】
該支持体表面が多孔質支持体表面を含み、そして該コーティングが該グラフト試薬で供給される１種以上の潜在的反応性基の残基によって該表面に共有結合される、請求項２１に記載の表面。
【手続補正４】
【補正対象書類名】特許請求の範囲
【補正対象項目名】請求項２３
【補正方法】変更
【補正の内容】
【請求項２３】
該ポリマーコーティングが１００nm未満の厚さである、請求項２１に記載の表面。
【手続補正５】
【補正対象書類名】特許請求の範囲
【補正対象項目名】請求項３１
【補正方法】変更
【補正の内容】
【請求項３１】
少なくとも1種の潜在的反応性基の残基によって該試薬が該表面に結合され、そして該試薬によって供給される光開始剤の活性化で該モノマーが重合されるのに適した条件下で、該多孔質支持体表面の接触されるように適合した形で、試薬および重合可能なモノマーの両方を含む、請求項３に記載の方法の実施に使用するためのグラフトシステム。
【手続補正６】
【補正対象書類名】特許請求の範囲
【補正対象項目名】請求項３６
【補正方法】変更
【補正の内容】
【請求項３６】
該支持体表面が多孔質支持体表面を含み、そして該コーティングが該グラフト試薬で供給される１種以上の潜在的反応性基の残基によって該表面に共有結合される、請求項３２に記載の装置。
【手続補正７】
【補正対象書類名】特許請求の範囲
【補正対象項目名】請求項３７
【補正方法】変更
【補正の内容】
【請求項３７】
該ポリマーコーティングが１００nm未満の厚さである、請求項３２に記載の装置。
【手続補正８】
【補正対象書類名】明細書
【補正対象項目名】００８４
【補正方法】変更
【補正の内容】
【００８４】
実施例２
化合物Ｉと共にアクリルアミド／ＡＭＰＳの適用によるポリエーテルブロックアミド（ＰＥＢＡＸ）の表面改質
実施例１に記載されるように化合物Ｉを溶解することによって、コーティング溶液が調整された。ＰＥＢＡＸ棒（５ｃｍ、Ｏ．Ｄ．１１８、Light Blue、２０％Barium Sulfate、Medical Profiles Inc.）が、化合物Ｉのコーティング溶液に３０分間浸漬しておかれることを除いて、実施例１に記載されるようにコートされた。減摩性／耐久性及びバクテリア付着についての結果が、表１と表２にそれぞれ示される。表１に示される結果は、コートされなかった対照に比して、適用されたコーティングが棒の減摩性を改善したことを示している。表２に示される結果は、コートされた棒が、コートされなかった棒に比して、三種の生物に対して付着性を示さなかったことを示した。
【手続補正書】
【提出日】平成17年12月28日(2005.12.28)
【手続補正１】
【補正対象書類名】特許請求の範囲
【補正対象項目名】全文
【補正方法】変更
【補正の内容】
【特許請求の範囲】
【請求項１】
動物の活動性出血創傷部位における出血を制御するための薬学的製剤の製造におけるセルロースを含む素材とセルロースに共有結合的に連結された多糖とを含む止血組成物の使用。
【請求項２】
動物の活動性出血創傷部位における出血を制御するための薬学的製剤の製造におけるイオン的にクロスリンクされた多糖と会合したセルロースを含む素材を含む止血組成物の使用。
【請求項３】
止血組成物が、鎮痛薬、ステロイド、抗ヒスタミン薬、麻酔薬、殺菌薬、消毒薬、殺真菌薬、血管収縮薬、止血薬、化学療法薬、抗生物質、角質溶解薬、焼灼剤、抗ウイルス薬、上皮成長因子、繊維芽細胞成長因子、トランスフォーミング成長因子、糖タンパク質、コラーゲン、フィブリノーゲン、フィブリン、湿潤剤、保存剤、リンホカイン、サイトカイン、芳香制御物質、ビタミン、および凝固因子からなる群より選択される薬剤をさらに含む、請求項1または2に記載の使用。
【請求項４】
セルロースに共有結合的に連結された多糖を含む止血組成物を形成させるため、リンキング剤と多糖とセルロースを含む素材とをインキュベートする段階を含む、組成物を製造するための方法。
【請求項５】
多糖がイオン的にクロスリンクされておりかつセルロースを含む素材と会合している止血組成物を形成させるため、多糖および陽イオンの溶液の中でセルロースを含む素材をインキュベートする段階を含む、組成物を製造するための方法。
【請求項６】
止血組成物を製造するための方法であって、
（a）多糖球体を含む混合物を形成させるため、水相アルカリ性多糖溶液を有機相安定化剤溶液と混合する段階；
（b）多糖球体をクロスリンクするため、クロスリンキング剤を該混合物と共にインキュベートする段階；
（c）該クロスリンクされた多糖球体を単離する段階；および
（d）アルギン酸ナトリウム溶液を含む素材を該クロスリンクされた多糖球体でコーティングする段階、を含む、方法。
【請求項７】
止血組成物を製造するための方法であって、
（a）デキストランおよびアルギン酸ナトリウムを含む水相アルカリ性溶液を準備する段階；
（b）該水相アルカリ性溶液からデキストラン-アルギネート球体を調製する段階；ならびに
（c）デキストラン-アルギネート球体を連結するため、デキストラン-アルギネート球体をリンキング剤と共にインキュベートする段階、を含む、方法。
【請求項８】
請求項7の方法に従い製造された止血組成物。
【請求項９】
セルロースに共有結合的に連結された多糖を有するセルロースを含む素材を含む止血組成物。
【請求項１０】
クロスリンクされたアルギネートおよびデキストランと会合しているセルロースを含む素材を含む止血組成物。
【請求項１１】
イオン的に連結されたデキストラン-アルギネート球体を含む止血組成物。
【手続補正書】
【提出日】平成17年9月1日(2005.9.1)
【手続補正１】
【補正対象書類名】特許請求の範囲
【補正対象項目名】全文
【補正方法】変更
【補正の内容】
【特許請求の範囲】
【請求項１】
平均粒度が１．０ミクロン以下であり、コントラスト比の値が約０．７未満である、半透明の多結晶酸化アルミニウムセラミック材料を含む、歯科矯正装置。
【請求項２】
粒度が１．０ミクロン以下であり、コントラスト比の値が約０．７未満である半透明の多結晶酸化アルミニウムセラミック材料を含む、歯科矯正装置又は装置プレフォームを作製する方法であって、
酸化アルミニウム粉体を提供する工程、
前記粉体を所望の形状を有する物品に形成する工程、
前記成形物品を焼結し、密閉気孔率を有する焼結物品を得る工程、および
前記焼結物品を熱間静水圧プレスして更に密度を高め、粒度が１．０ミクロン以下であり、コントラスト比の値が約０．７未満である半透明の多結晶酸化アルミニウムセラミック材料を含む、歯科矯正装置又は装置プレフォームを形成する工程、
を含む、方法。
【手続補正書】
【提出日】平成17年10月26日(2005.10.26)
【手続補正１】
【補正対象書類名】特許請求の範囲
【補正対象項目名】全文
【補正方法】変更
【補正の内容】
【特許請求の範囲】
【請求項１】
コロイド溶液の一部分を蒸発させる方法であって、
ａ．少なくとも一部分が少なくとも１種の揮発性成分を含む液体媒体中に粒子を含んでなるコロイド溶液を１つ以上のオリフィスに通して少なくとも１つの内表面を有する蒸発ゾーンに送入することと、ただし、該コロイド溶液が該蒸発ゾーンを通過するとき、該コロイド溶液は、該蒸発ゾーンの該少なくとも１つの内表面に実質的に接触しない、
ｂ．該コロイド溶液を該蒸発ゾーンに送入するときに該蒸発ゾーン内に該コロイド溶液の蒸気圧よりも低い圧力を加えて、該少なくとも１種の揮発性成分の少なくとも一部分を該コロイド溶液からフラッシュ蒸発させることができるようにすることと、
ｃ．該蒸発ゾーン内の圧力を調整して、ある量の該少なくとも１種の揮発性成分を該コロイド溶液から蒸発させることと、
ｄ．この残存するコロイド溶液を該蒸発ゾーンから捕集することと、
を含む方法。
【請求項２】
コロイド溶液の一部分を蒸発させる方法であって、
ａ．前記コロイド溶液を前記オリフィスに通す前に、前記コロイド溶液を、加熱ゾーンにおいて、このコロイド溶液が加熱ゾーンで沸騰しないようにするのに十分な圧力下で、加熱することと、加熱ゾーン内の温度および蒸発ゾーン内の圧力を調整して、前記コロイド溶液から前記少なくとも１種の揮発性成分を蒸発させること、をさらに含む、請求項１記載の方法。
【手続補正書】
【提出日】平成17年11月21日(2005.11.21)
【手続補正１】
【補正対象書類名】明細書
【補正対象項目名】０００６
【補正方法】変更
【補正の内容】
【０００６】
短い波長、即ち約１００ｎｍ〜約３００ｎｍに対して感応性のあるフォトレジストも半ミクロンの構造が必要とされるところでしばしば使用される。化学的に増幅された高解像、深紫外線（１００〜３００ｎｍの波長）のポジ型およびネガ型色相（tone) フォトレジストは１／４ミクロンより小さい構造の像をパターン化するのに利用できる。現在、微細化において著しい発展をもたらした三つの大きな深紫外線（ＵＶ）露光技術があり、そしてこれらは２４８ｎｍ、１９３ｎｍおよび１５７ｎｍで放射線を放出するレーザーを使用している。２４８ｎｍのためのフォトレジストは一般に、米国特許第４，４９１，６２８号明細書および同第５，３５０，６６０号明細書に記載されている様な、置換されたポリヒドロキシスチレンおよびそれのコポリマーをベースとしている。他方、１９３ｎｍ露光のためのフォトレジストは、芳香族ポリマーがこの波長では不透明なので、非芳香族ポリマーを必要としている。米国特許第５，８４３，６２４号明細書および英国特許第２３２，０７１８号明細書は１９３ｎｍでの露光に有用なフォトレジストを開示している。一般に脂環式炭化水素を含有するポリマーは２００ｎｍ以下で露光するためのフォトレジストに使用される。脂環式炭化水素は沢山の理由でポリマー中に組み入れられる。第一にこれらは耐エッチング性を改善する比較的に高い炭素：水素−比を有しており、これらはまた短い波長において透明性を提供しそしてこれらは比較的に高いガラス転移温度を有している。
【手続補正２】
【補正対象書類名】明細書
【補正対象項目名】０００７
【補正方法】変更
【補正の内容】
【０００７】
ネガ型の酸感応性フォトレジスト組成物を用いることは従来技術において公知である。一般に、ネガ型フォトレジストはアルカリ可溶性ポリマー、光酸発生剤および架橋剤を含有している。従来技術のフォトレジスト組成物の殆どは芳香族であるポリマーバインダーを使用しており、かゝるポリマーはノボラック類またはポリヒドロキシスチレン類である。芳香族ポリマーは良好な乾式耐エッチング性を有しているけれども、２００ｎｍ以下の波長では所望の透明性を有していない。それ故に２００ｎｍ以下、特に１６０ｎｍ以下の露光波長で透明でありそして良好な乾式耐エッチング性も有するネガ型フォトレジストが必要とされている。
【手続補正３】
【補正対象書類名】明細書
【補正対象項目名】０００８
【補正方法】変更
【補正の内容】
【０００８】
弗素化ポリマーは１９３ｎｍおよび１５７ｎｍで透明であることが知られている。フォトレジストで使用した時のかゝるポリマーはヨーロッパ特許出願公開７８９，２７８号明細書、Ｉｔｏ等（ＳＰＩＥ  Ｐｒｏｃｅｅｄｉｎｇｓ，第４３４５巻、２００１、第２７３〜２８４頁）、国際特許出願公開第００／６７０７２号および同第００／１７７１２号明細書に開示されている。国際特許出願公開第００／６７０７２号明細書には特に吊り下がった弗素化基を持つ非芳香族の脂環式ポリマーを開示している。かゝるポリマーは式
−（Ｒf ）（Ｒf'）ＯＲb 
（式中、Ｒf およびＲf'は弗素化アルキル基でありそしてＲb は水素または酸不安定基である。）
で表される吊り下がった基を持つノルボルネンモノマーの重合から誘導されている。このポリマーは光活性化合物を用いて加工されてポジ型フォトレジスト像をもたらす。同様にＩｔｏは、酸不安定基で置換された吊り下がったヘキサフルオロ−２−ヒドロキシイソプロピル基を有するあらゆるノルボルネンポリマーを用いてポジ型像を形成する可能性も説明している。Ｔｏｒｉｕｍｉ等（ＳＰＩＥ  Ｐｒｏｃｅｅｄｉｎｇｓ，第４３４５巻、２００１、第３７１〜３７８頁）は弗素化ポリマー、トリフェニルスルホニウム−トリフラートおよび架橋剤としてのヒドロキシメチル化合物を用いるネガ型フォトレジストを開示しており、このフォトレジストは２００ｍＪ／ｃｍ2 のゲル線量に対しての感応性を有している。弗素化ポリマーの構造は開示されていない。ヘキサフルオロ−２−ヒドロキシ−イソプロピル基はスチレンポリマーから吊り下がったおり、それをネガ型フォトレジストで用いることがＰｒｚｙｂｉｌｌａによって開示されている（ＳＰＩＥ  Ｐｒｏｃｅｅｄｉｎｇｓ，第１６７２巻、１９９２、第５００〜５１２頁）。しかしながらこれらのポリマーは芳香族基を含んでいるので、２００ｎｍ以下の波長での像形成には使用できない。
【手続補正４】
【補正対象書類名】明細書
【補正対象項目名】００２８
【補正方法】変更
【補正の内容】
【００２８】
０．９８８ｇのポリ［５−（２−トリフルオロメチル−１，１，１−トリフルオロ−２−ヒドロキシプロピル）−２−ノルボルネン］（Ｍw ８，３００、Ｍn ／Ｍw ＝１．６９）、０．２４７ｇのテトラメトキシグリコ−ルウリル、０．０１３ｇのトリフェニルスルホニウム−トリフラート、０．１２２ｇの、テトラブチルアンモニウムヒドロキシドの１重量％濃度プロピレングリコール−モノメチルエーテルアセテート（ＰＧＭＥＡ）溶液および０．０１２ｇの、界面活性剤ＦＣ−４４３０（フッ素化脂肪族ポリマーエステル；３Ｍ  Ｃｏｒｐｏｒａｔｉｏｎ，Ｓｔ  Ｐａｕｌ、ミネソタによって分譲されている）の１０重量％濃度ＰＧＭＥＡ溶液を、８．６２ｇのＰＧＭＥＡに溶解して、フォトレジスト溶液を得る。この溶液を０．２μｍフィルターを用いて濾過しそして次の様に加工した。別々に底層反射防止被覆（Ｂ．Ａ．Ｒ．Ｃ）されたシリコーン基体を、シリコーン基体に底層反射防止膜用溶液ＡＺ(R) ＥＸＰ  ＡｒＦ−１Ｃ（Ｃｌａｒｉａｎｔ  Ｃｏｒｐ．、Ｓｏｍｅｒｖｉｌｌｅ、ＮＪから入手）を回転塗布法により製造しそして１７５℃で６０秒間ベークする。Ｂ．Ａ．Ｒ．Ｃ塗膜厚さは３９ｎｍに維持する。次いでフォトレジスト溶液をＢ．Ａ．Ｒ．Ｃ被覆したシリコーン基体にコーティングする。回転速度は、フォトレジスト塗膜厚さが３３０ｎｍである様に調整する。レジスト塗膜を９５℃で６０秒間ベークする。次いでこれを、石英二層マスク上からクロムを用いて１９３ｎｍ  ＩＳＩミニステパー（０．６のアペーチュア番号および０．７のコヒーレンス）で露光する。露光後に、ウェハーを１５０℃で６０秒間後露光ベーク処理する。現像はテトラメチルアンモニウムヒドロキシドの２．３８重量％濃度水溶液を用いて６０秒間実施する。線およびスペースパターンを次いで走査電子顕微鏡で観察する。フォトレジストは５８ｍＪ／ｃｍ2 の感度および０．１８μｍの線解像度を有している。
【実施例２】